(57)【要約】　　　（修正有）【課題】精度の高い太陽光発電量を予測すること。【解決手段】発電量予測システム１は、太陽光発電システム１００の設計情報と太陽光発電システム１００の発電量とに基づき、太陽光発電システム１００の日射量を算出する日射量算出装置２０５と、太陽光発電システム２００の設計情報と太陽光発電システム１００の日射量とに基づき、太陽光発電システム２００の発電量を算出する発電量算出装置２０４とを備え、発電量算出結果を予測発電量表示装置２０６に出力する。【選択図】　　　　図１
2004047875.tif 000002
【特許請求の範囲】
【請求項１】
第１の太陽光発電システムの設置条件と前記第１の太陽光発電システムの発電量とに基づき、前記第１の太陽光発電システムの日射量を算出する日射量算出手段と、
第２の太陽光発電システムの設置条件と前記第１の太陽光発電システムの日射量とに基づき、前記第２の太陽光発電システムの発電量を算出する発電量算出装置とを備えた、発電量予測装置。
【請求項２】
前記第１の太陽光発電システムは複数有り、複数の前記第１の太陽光発電システムそれぞれの設置条件と発電量とを対応付けて記憶する記憶手段と、
前記第２の太陽光発電システムの設置条件に基づき、前記記憶手段に記憶された前記複数の第１の太陽光発電システムのうちから少なくとも１つの第１の太陽光発電システムを抽出する抽出手段とをさらに備えた、請求項１に記載の発電量予測装置。
【請求項３】
前記第１の太陽光発電システムは複数あり、前記複数の第１の太陽光発電システムそれぞれの設置条件と前記日射量を関連付けて記憶する記憶手段と、
前記第２の太陽光発電システムの設置条件に基づき、前記記憶手段に記憶された前記複数の第１の太陽光発電システムのうちから少なくとも１つの第１の太陽光発電システムを抽出する抽出手段とをさらに備えた、請求項１に記載の発電量予測装置。
【請求項４】
前記設置条件は位置情報を含み、
前記抽出手段は、前記第２の太陽光発電システムの設置条件の位置情報に近い位置情報の第１の太陽光発電システムを抽出する、請求項２または３に記載の発電量予測装置。
【請求項５】
前記設置条件は、太陽電池モジュールの温度特性を含み、
前記抽出手段は、前記第２の太陽光発電システムの設置条件の温度特性に類似する温度特性の第１の太陽光発電システムを抽出する、請求項２または３に記載の発電量予測装置。
【請求項６】
前記第２の太陽光発電システムの設置条件を入力する入力手段をさらに備えた、請求項１〜５のいずれかに記載の発電量予測装置。
【請求項７】
前記設置条件は、太陽電池モジュールの設置方位角および設置角度を含み、
前記第１の太陽電池モジュールの設置方位角および設置角度に基づいて、前記第１の太陽光発電システムの発電量を標準設置方位角度に設置した場合の発電量に補正する補正手段をさらに備えた、請求項２に記載の発電量予測装置。
【請求項８】
前記設置条件は、太陽電池モジュールの設置方位角および設置角度を含み、
前記日射量算出装置は、太陽電池モジュールの設置方位角、設置角度および前記第１の太陽光発電システムの発電量に基づいて、標準設置方位角度に設置した場合の日射量を算出する、請求項３に記載の発電量予測装置。
【請求項９】
前記第１の太陽光発電システムの発電量を受信する発電量受信手段をさらに備えた、請求項１〜８のいずれかに記載の発電量予測装置。
【請求項１０】
太陽光発電システムの発電量を検知する手段と、
前記検知された発電量を示す情報を送信する手段とを備えた、発電量送信装置。
【請求項１１】
前記発電量を標準設置方位角度に設置した場合の発電量に補正する手段を備えた、請求項１０に記載の発電量送信装置。
【請求項１２】
太陽光発電システムの発電量を取得する発電量取得手段と、
前記取得された発電量に基づいて日射量を算出する日射量算出手段とを備えた、日射量測定装置。
【請求項１３】
前記日射量算出手段は、標準設置方位角度における日射量を算出する、請求項１２に記載の日射量測定装置。
【請求項１４】
前記算出された日射量を示す情報を出力する出力手段をさらに備えた、請求項１２または１３に記載の日射量測定装置。
【請求項１５】
前記発電量取得手段は、太陽光発電システムの発電量を検知する検知手段を含む、請求項１２に記載の日射量測定装置。
【請求項１６】
前記発電量取得手段は、太陽光発電システムの発電量を受信する受信手段を含む、請求項１２に記載の日射量測定装置。
【請求項１７】
第１の太陽光発電システムの設置条件と前記第１の太陽光発電システムの発電量とに基づき、前記第１の太陽光発電システムの日射量を算出するステップと、
第２の太陽光発電システムの設置条件と前記第１の太陽光発電システムの日射量とに基づき、前記第２の太陽光発電システムの発電量を算出するステップとを含む、発電量予測方法。
【発明の詳細な説明】
【０００１】
【発明の属する技術分野】
本発明は、発電量予測装置、発電量送信装置、日射量測定装置および発電量予測方法に関し、特に、太陽光発電システムの発電量を予測する発電量予測装置および発電量予測方法、または、太陽光発電システムの発電量を予測するために用いられる発電量送信装置、日射量測定装置に関する。
【０００２】
【従来の技術】
太陽光発電システムの発電する発電量は、太陽光発電システムを設置する場所の日射量や気温によって大きく変化する。太陽光発電シススムの能力として製造者が示す発電量は、標準的な日射量、気温等の条件の下での発電量である。このため、設置場所の日射量および気温の条件によっては、実際に発電される発電量は、太陽光発電システムの能力として製造者が示す発電量を大きく下回ることがある。このような場合、太陽光発電システムが出力する電力の価値が、太陽光発電システムの設置費用および維持費用などの投資費用を上回ることができず、採算の合わない太陽光発電システムとになってしまう。
【０００３】
太陽光発電システムを実際に設置した後で、採算の合わないことに気が付いても、設置に投資した金額を回収することはできない。したがって、採算の合わない発電システムが設置されるのを防止するためには、太陽光発電システムを設置する前の段階で発電量を正確に予測する必要がある。
【０００４】
上述したように太陽光発電システムの発電量は、設置する場所の日射量と気温によって大きく変化する。日射量や気温は、設置する場所の緯度、天候、周囲の地形、建物等の違いにより異なるので、太陽光発電システムの発電量の予測はこれらの条件を考慮して行われる。
【０００５】
これらの条件を考慮した日射量のデータを得るためには、実際に太陽光発電システムを設置する場所に日射量計測機を設置し、数年にわたって継続して日射量を計測しなければならず、時間およびコストの両面において現実的でない。
【０００６】
そこで、精度はやや落ちるものの、代表的な地点における日射量を計測した計測データを用いる方法が一般的に行われている。より具体的には、ＮＥＤＯで公開されているデータを用いる方法である。この日射量データは、日本国内８０１地点において、真南から１５°きざみで９０°までの方位角ごとに、水平から１５°きざみで９０°までの設置角度ごとに計測された日射量であり、月平均のデータである。太陽光発電システムの発電量を予測する際には、この８０１地点の中で、太陽光発電システムを設置する場所に最も近い計測地における日射量データが用いられる。
【０００７】
【発明が解決しようとする課題】
しかしながら、従来の８０１地点の日射量を用いて発電量を予測する方法では、計測地点が８０１地点に限られていること、かつ、地形の影響が極力小さくなるよう日射量データが補正されていることなどから、計測地から遠い場所や山間部などの計測地とは地形が大きく異なり日射量に大きな影響を与える場所においては、発電量の予測の精度が低くなってしまうといった問題があった。
【０００８】
また、太陽光発電システムでは、気温、雨風、砂、埃などの設置する場所に依存する日射量以外の条件の影響を受けて、発電量が変化する。これらの条件と発電量との相関を示すデータがほとんど無いため、実際に太陽光発電システムを設置しないと正確に日射量を求めるのは困難であった。
【０００９】
このように、現在では太陽光発電システムの発電量を精度良く予測するために十分な測定データが存在しない。また、測定地点を増やせば、予測するための十分なデータを取得することができるが、多くの計測時間と投資金額を要するため現実的ではない。
【００１０】
この発明は上述の問題点を解決するためになされたもので、この発明の目的の１つは、精度の高い太陽光発電量を予測することが可能な発電量予測装置を提供することである。
【００１１】
この発明の他の目的は、地形、気温、雨風や、砂、埃などの設置する場所に依存する条件の影響を考慮して太陽光発電量を予測することが可能な発電量予測装置を提供することである。
【００１２】
この発明のさらに他の目的は、発電量を収集するための発電量送信装置を提供することである。
【００１３】
この発明のさらに他の目的は、日射量を容易に測定することが可能な日射量測定装置を提供することである。
【００１４】
この発明のさらに他の目的は、精度の高い太陽光発電量を予測することが可能な発電量予測方法を提供することである。
【００１５】
【課題を解決するための手段】
上述の目的を達成するためのこの発明のある局面によれば、発電量予測装置は、第１の太陽光発電システムの設置条件と第１の太陽光発電システムの発電量とに基づき、第１の太陽光発電システムの日射量を算出する日射量算出手段と、第２の太陽光発電システムの設置条件と第１の太陽光発電システムの日射量とに基づき、第２の太陽光発電システムの発電量を算出する発電量算出装置とを備える。
【００１６】
この発明に従えば、第１の太陽光発電システムの設置条件と第１の太陽光発電システムの発電量とに基づき、第１の太陽光発電システムの日射量が算出され、第２の太陽光発電システムの設置条件と第１の太陽光発電システムの日射量とに基づき、第２の太陽光発電システムの発電量が算出される。第１の太陽光発電システムの発電量は、日射量、地形、気温、雨風、砂、埃等の条件の影響を受けた発電量である。このため、第２の太陽光発電システムの発電量を、第１の太陽光発電システムが影響を受けた日射量、地形、気温、雨風、砂、埃等の条件と同じ条件で予測することができる。その結果、精度の高い太陽光発電量を予測することが可能な発電量予測装置を提供することができる。
【００１７】
好ましくは、第１の太陽光発電システムは複数有り、複数の第１の太陽光発電システムそれぞれの設置条件と発電量とを対応付けて記憶する記憶手段と、第２の太陽光発電システムの設置条件に基づき、記憶手段に記憶された複数の第１の太陽光発電システムのうちから少なくとも１つの第１の太陽光発電システムを抽出する抽出手段とをさらに備える。
【００１８】
この発明に従えば、複数の第１の太陽光発電システムそれぞれの設置条件と発電量とが対応付けられて記憶される。このため、記憶された発電量に基づき日射量が算出される。また、第２の太陽光発電システムの設置条件に基づき、記憶された複数の第１の太陽光発電システムのうちから少なくとも１つの第１の太陽光発電システムが抽出される。このため、第２の太陽光発電システムの設置条件と一致または近似する設置条件の第１の太陽光発電システムが影響を受けた日射量、地形、気温、雨風、砂、埃等の条件と同じ条件で影響を受けた発電量を予測することができる。その結果、地形、気温、雨風、砂、埃などの設置する場所に依存する条件を考慮した太陽光発電量を予測することが可能な発電量予測装置を提供することができる。
【００１９】
好ましくは、第１の太陽光発電システムは複数あり、複数の第１の太陽光発電システムそれぞれの設置条件と日射量を関連付けて記憶する記憶手段と、第２の太陽光発電システムの設置条件に基づき、記憶手段に記憶された複数の第１の太陽光発電システムのうちから少なくとも１つの第１の太陽光発電システムを抽出する抽出手段とをさらに備える。
【００２０】
この発明に従えば、複数の第１の太陽光発電システムそれぞれの設置条件と日射量とが関連付けて記憶される。このため、第１の太陽光発電システムの日射量を予め記憶しておくことができる。また、第２の太陽光発電システムの設置条件に基づき、記憶された複数の第１の太陽光発電システムのうちから少なくとも１つの第１の太陽光発電システムが抽出される。このため、第２の太陽光発電システムの設置条件と一致または近似する設置条件の第１の太陽光発電システムが影響を受けた日射量、地形、気温、雨風、砂、埃等の条件と同じ条件で影響を受けた発電量を予測することができる。その結果、地形、気温、雨風、砂、埃などの設置する場所に依存する条件を考慮した太陽光発電量を予測することが可能な発電量予測装置を提供することができる。
【００２１】
好ましくは、設置条件は位置情報を含み、抽出手段は、第２の太陽光発電システムの設置条件の位置情報に近い位置情報の第１の太陽光発電システムを抽出する。
【００２２】
この発明に従えば、第２の太陽光発電システムの設置条件の位置情報に近い位置情報の第１の太陽光発電システムが抽出されるので、第２の太陽光発電システムが設置される地形、気温、雨風、砂、埃などの条件がほぼ等しい条件の第１の太陽光発電システムが抽出される。その結果、地形、気温、雨風、砂、埃などの設置する場所に依存する条件がより近い第１の太陽光発電システムを抽出することができる。
【００２３】
好ましくは、設置条件は、太陽電池モジュールの温度特性を含み、抽出手段は、第２の太陽光発電システムの設置条件の温度特性に類似する温度特性の第１の太陽光発電システムを抽出する。
【００２４】
この発明に従えば、第２の太陽光発電システムの設置条件の温度特性に類似する温度特性の第１の太陽光発電システムが抽出される。太陽電池モジュールは、温度特性の違いにより発電量が異なるので、太陽電池モジュールの温度特性が類似する太陽光システムの発電量を用いることにより、温度の条件の影響をより正確に加味して発電量を予測することができる。
【００２５】
好ましくは、第２の太陽光発電システムの設置条件を入力する入力手段をさらに備える。
【００２６】
この発明に従えば、第２の太陽光発電システムの設置条件を入力すれば、第２の太陽光発電システムの発電量を予測することができる。
【００２７】
好ましくは、設置条件は、太陽電池モジュールの設置方位角および設置角度を含み、第１の太陽電池モジュールの設置方位角および設置角度に基づいて、第１の太陽光発電システムの発電量を標準設置方位角度に設置した場合の発電量に補正する補正手段をさらに備える。
【００２８】
この発明に従えば、第１の太陽電池モジュールの設置方位角および設置角度に基づいて、第１の太陽光発電システムの発電量が標準設置方位角度に設置した場合の発電量に補正される。
【００２９】
好ましくは、設置条件は、太陽電池モジュールの設置方位角および設置角度を含み、日射量算出装置は、太陽電池モジュールの設置方位角、設置角度および第１の太陽光発電システムの発電量に基づいて、標準設置方位角度に設置した場合の日射量を算出する。
【００３０】
この発明にしたがえば、太陽電池モジュールの設置方位角、設置角度および第１の太陽光発電システムの発電量に基づいて、標準設置方位角度に設置した場合の日射量が算出される。
【００３１】
好ましくは、第１の太陽光発電システムの発電量を受信する発電量受信手段をさらに備える。
【００３２】
この発明にしたがえば、第１の太陽光発電システムの発電量が受信される。このため、第１の発電システムの発電量を最新のデータに更新することができる。
【００３３】
この発明に他の局面によれば、発電量送信装置は、太陽光発電システムの発電量を検知する手段と、検知された発電量を示す情報を送信する手段とを備える。
【００３４】
この発明に従えば、太陽光発電システムの発電量が検知され、検知された発電量を示す情報が送信される。このため、発電量を収集するための発電量送信装置を提供することができる。
【００３５】
好ましくは、発電量を標準設置方位角度に設置した場合の発電量に補正する手段を備える。
【００３６】
この発明に従えば、発電量が標準設置方位角度に設置した場合の発電量に補正されるので、標準的な条件に統一した発電量を収集することができる。
【００３７】
この発明のさらに他の局面によれば、日射量測定装置は、太陽光発電システムの発電量を取得する発電量取得手段と、取得された発電量に基づいて日射量を算出する日射量算出手段とを備える。
【００３８】
この発明にしたがえば、太陽光発電システムの発電量が取得され、取得された発電量に基づいて日射量が算出される。このため、日射量を容易に測定することが可能な日射量測定装置を提供することができる。
【００３９】
好ましくは、日射量算出手段は、標準設置方位角度における日射量を算出する。
【００４０】
この発明にしたがえば、標準設置方位角度における日射量が算出されるので、標準的な条件に統一した日射量を算出することができる。
【００４１】
好ましくは、算出された日射量を示す情報を出力する出力手段をさらに備える。
【００４２】
この発明に従えば、算出された日射量を示す情報が出力される。
好ましくは、発電量取得手段は、太陽光発電システムの発電量を検知する検知手段を含む。
【００４３】
好ましくは、発電量取得手段は、太陽光発電システムの発電量を受信する受信手段を含む。
【００４４】
この発明のさらに他の局面によれば、発電量予測方法は、第１の太陽光発電システムの設置条件と第１の太陽光発電システムの発電量とに基づき、第１の太陽光発電システムの日射量を算出するステップと、第２の太陽光発電システムの設置条件と第１の太陽光発電システムの日射量とに基づき、第２の太陽光発電システムの発電量を算出するステップとを含む。
【００４５】
この発明にしたがえば、第１の太陽光発電システムの設置条件と第１の太陽光発電システムの発電量とに基づき、第１の太陽光発電システムの日射量が算出され、第２の太陽光発電システムの設置条件と第１の太陽光発電システムの日射量とに基づき、第２の太陽光発電システムの発電量が算出される。第１の太陽光発電システムの発電量は、日射量、地形、気温、雨風、砂、埃等の条件の影響を受けた発電量である。このため、第２の太陽光発電システムの発電量を、第１の太陽光発電システムが影響を受けた日射量、地形、気温、雨風、砂、埃等の条件と同じ条件で予測することができる。その結果、精度の高い太陽光発電量を予測することが可能な発電量予測方法を提供することができる。
【００４６】
【発明の実施の形態】
以下、本発明の実施の形態について図面を参照して説明する。以下の説明では、同一の部品および構成要素には同一の符号を付してある。それらの名称および機能も同じである。したがってそれらについての詳細な説明は繰返さない。
【００４７】
［第１の実施の形態］
図１は、本発明の第１の実施の形態における発電量予測システムの概略的な構成を示す図である。図１を参照して、発電量予測システム１は、第１設計情報入力装置１０３と、第２設計情報入力装置２０１と、発電量送信装置１０１と、発電量管理サーバ１０４と、抽出装置２０３と、日射量算出装置２０５と、発電量算出装置２０４と、予測発電量表示装置２０６とを含む。
【００４８】
発電量予測システム１を構成する各装置は、コンピュータなどで構成することができる。そしてこれらの装置は、それぞれがインターネットなどのネットワークに接続されており、相互に情報を送受信することが可能となっている。各装置を構成するコンピュータ自体の構成は一般的なものである。また、コンピュータをネットワークに接続しての情報の送受信は周知である。したがって、ここではその詳細な説明は繰返さない。
【００４９】
なお、発電量予測システム１を構成する各装置は、それらの複数を組合わせた１つの装置とすることもできる。たとえば、抽出装置２０３、日射量算出装置２０５、発電量算出装置２０４とを１のコンピュータで実現してもよいし、第１設計情報入力装置１０３と、第２設計情報入力装置２０１を一体にして１つの入力装置としてもよい。
【００５０】
＜第１設計情報入力装置１０３＞
第１設計情報入力装置１０３は、既設の太陽光発電システム１００の設計情報入力するための装置である。設計情報は、太陽光発電システム１００に含まれる太陽電池モジュールの発電能力と設置位置とを含む。太陽電池モジュールの発電能力は、設置枚数、設置角度、設置方位を含む。
【００５１】
太陽光発電システムが設置方位の異なる太陽電池モジュールを複数備える場合には、設計情報は、設置方位別の太陽電池モジュールの発電能力を含む。太陽電池モジュールの発電能力は、たとえば、単位日射量あたりの発電量で表される。さらに、太陽電池モジュールの発電能力に、太陽電池モジュールの温度特性を含めてもよい。太陽電池モジュールの温度特性とは、温度による太陽電池モジュールまたはセルの発電量の変化を示す情報である。
【００５２】
太陽光発電システム１００の設置位置は、設置される場所の郵便番号を含む。郵便番号に代えて、または、郵便番号に加えて緯度および経度を含めるようにしてもよい。
【００５３】
＜第２設計情報入力装置２０１＞
第２設計情報入力装置２０１は、これから設置しようとする太陽光発電システム２００の設計情報を入力するための装置である。第２設計情報入力装置２０１で入力される設計情報は、上述した第１設計情報入力装置１０３に入力される設計情報と同じ情報である。
【００５４】
＜発電量送信装置１０１＞
発電量送信装置１０１は、太陽光発電システム１００の近傍に設置され、太陽光発電システム１００の発電量を検出するセンサーと、検出した発電量を発電量管理サーバ１０４に送信する送信部とを含む。発電量は、少なくとも太陽光発電システム１００で測定した１日の間の発電量を含む情報である。
【００５５】
また、発電量送信装置１０１は、発電量を計測した日付を取得する日付検知部を備え、検知した日付を発電量と開連付けて送信するようにしてもよい。これは、発電量を計測した期間を示す情報を発電量とともに送信するためである。
【００５６】
太陽光発電システム１００および発電量送信装置１０１は、複数設置されるのが望ましい。
【００５７】
＜発電量管理サーバ１０４＞
発電量管理サーバ１０４は、第１設計情報入力装置１０３により入力された太陽光発電システム１００に関する設計情報と、発電量送信装置１０１より送信された太陽光発電システム１００の発電量とを開連付けて記憶する。
【００５８】
設計情報と関連付けられて記憶される発電量は、数ヶ月または数年間の長期間にわたる発電量が記憶されるのが望ましい。季節により日射量が変動するためと、各年による日射量のばらつきを吸収するため、数年間の発電量を日または月毎に平均した値で表すことで、より正確な発電量を予測することができるからである。
【００５９】
発電量管理サーバ１０４には、太陽光発電システム１００が複数ある場合には、複数の太陽光発電システム１００それぞれの発電量が設計情報に関連付けられて記憶される。
【００６０】
＜抽出装置２０３＞
抽出装置２０３は、これから設置しようとする太陽光発電システム２００の近隣に設置されている太陽光発電システム１００を抽出し、抽出された太陽光発電システム１００の設計情報と発電量とを発電量管理サーバ１０４から読出す。読み出された設計情報と発電量は、日射量算出装置２０５に送信される。
【００６１】
太陽光発電システム２００の近隣に設置されている太陽光発電システム１００の抽出は、太陽光発電システム２００の設計情報と太陽光発電システム１００の設計情報とを比較することで行われる。すなわち、設計情報の設置位置が比較され、太陽光発電システム２００の設置位置に近い設置位置の太陽光発電システム１００が抽出される。設置位置が郵便番号である場合は、太陽光発電システム１００の郵便番号が、太陽光発電システム２００の郵便番号と同じ場合、または、各郵便番号が予め定めた郵便番号の組に含まれる場合に、太陽光発電システム１００を抽出する。
【００６２】
なお、これから設置しようとする太陽光発電システム２００が１つに対して、複数の太陽光発電システム１００を抽出してもよい。この場合は、抽出された複数の太陽光発電システム１００の各発電量を平均した発電量が日射量算出装置２０５に送信される。
【００６３】
また、設計情報に太陽電池モジュールの温度特性を含む場合には、抽出条件を設置位置とするのに代えて、温度特性が類似することを条件に抽出する。すなわち、太陽光発電システム２００の太陽電池モジュールの温度特性と類似する温度特性の太陽電池モジュールを有する太陽光発電システム２００が抽出される。また、抽出条件を設置位置とするのに加えて、温度特性が類似することを条件に抽出する。すなわち、太陽光発電システム１００と設置位置が近いことを条件に抽出された太陽光発電システム２００のうちから、太陽光発電システム２００の太陽電池モジュールの温度特性と類似する温度特性の太陽電池モジュールを有する太陽光発電システム２００が抽出される。
【００６４】
＜日射量算出装置２０５＞
日射量算出装置２０５は、太陽光発電システム１００の設計情報と発電量とから太陽光発電システム１００の日射量を算出する装置である。
【００６５】
＜発電量算出装置２０４＞
発電量算出装置２０４は、日射量算出装置２０５で算出された日射量と太陽光発電システム２００の設計情報とから太陽光発電システム２００の発電量を算出する。
【００６６】
次に第１の実施の形態における発電量予測システム１で実行される処理の詳細を説明する。図２は、第１の実施の形態における発電量予測システムで実行される処理の流れを示すフローチャートである。図２を参照して、第１の実施の形態における発電量予測システムでは、第１設計情報入力工程（ステップＳ０１）、発電量送信工程（ステップＳ０２）、第２設計情報入力工程（ステップＳ０３）、抽出工程（ステップＳ０４）、日射量算出工程（ステップＳ０５）、発電量算出工程（ステップＳ０６）、予測発電量表示工程（ステップＳ０７）が実行される。
【００６７】
図２に示す各工程の実施順は一例であり、抽出工程（ステップＳ０４）は、第１設計情報入力工程（ステップＳ０１）および第２設計情報入力工程（ステップＳ０３）との後に実施し、日射量算出工程（ステップＳ０５）は、発電量送信工程（ステップＳ０２）と抽出工程（ステップＳ０４）との後に実施し、発電量算出工程（ステップＳ０６）は、日射量算出工程（ステップＳ０６）の後に実施し、予測発電量表示工程（ステップＳ０７）は発電量算出工程（ステップＳ０６）の後に実施されればよい。
【００６８】
＜第１設計情報入力工程（ステップＳ０１）＞
第１設計情報入力工程（ステップＳ０１）は、第１設計情報入力装置１０３で実行される処理である。第１設計情報入力装置１０３に、ユーザより、太陽光発電システム１００の設計情報が入力されると、第１設計情報入力装置１０３が備えるメモリに入力された設計情報が記憶される。
【００６９】
このとき、太陽光発電システム１００を特定するための特定情報、たとえば、顧客ＩＤなどと入力された設計情報とが関連付けられて記憶される。これにより、太陽光発電システム１００が複数ある場合であっても、特定情報を指定すれば任意の１つの太陽光発電システム１００の設計情報を特定することができる。
【００７０】
第１設計情報入力装置１０３に入力された設計情報は、特定情報とともに発電量管理サーバに送信される。発電量管理サーバ１０４は、送信された特定情報と設計情報を受信し、記憶する。このとき、設計情報が太陽電池モジュールの温度特性を含んでいる場合、発電量管理サーバは、太陽光発電システム１００の設計情報を温度特性毎に分類して記憶するようにしてもよい。これにより、後述する近隣抽出工程における処理速度を早くすることができる。
【００７１】
太陽光発電システム１００の設計情報は、太陽光発電システム１００が設置される時点または設置された後に、第１設計情報入力装置１０３から入力される。また、太陽光発電システム１００の設計情報は、ネットワークを介して自動的に発電量管理サーバ１０４に登録するようにしてもよい。
【００７２】
＜発電量送信工程（ステップＳ０２）＞
発電量送信工程（ステップＳ０２）は、発電量送信装置で太陽光発電システム１００の発電量と発電量計測日を検出し、太陽光発電システム１００を特定する特定情報と関連付けて、発電量管理サーバ１０４に送信する。発電量管理サーバ１０４は、送信された特定情報と発電量とを受信し、記憶する。
【００７３】
発電量送信装置１０１は、既に設置してある太陽光発電システム１００のパワーコントローラーもしくは配電盤に装備された検出センサ−と時計とを含む。この検出センサで発電量を検出するとともに、内蔵された時計から日付を検出する。このとき検出される発電量は、１日当りの発電量である。
【００７４】
発電量送信装置１０１は、検出された発電量と日付を、電線もしくはネットワークを経由して発電量管理サーバ１０４へ送信する。発電量管理サーバ１０４は、送信された発電量と日付とを受信し、記憶する。
【００７５】
なお、発電量送信装置１０１が発電量を計測する日付と送信する日付が同じである場合は、発電量管理サーバ１０４が発電量送信装置１０１から発電量を受信した日付を計測した日付としてもよい。この場合、発電量送信装置１０１から発電量管理サーバに日付を送信する必要はない。
【００７６】
＜第２設計情報入力工程（ステップＳ０３）＞
第２設計情報入力工程（ステップＳ０３）は、第２設計情報入力装置２０１で実行される処理である。第２設計情報入力装置２０１は、これから設置しようとする、または、発電量を予測しようとする太陽光発電システム２００の設計情報の入力を受付ける。そして、入力された設計情報を抽出装置２０３に送信する。
【００７７】
また、第２設計情報入力装置２０１に入力された第２設計情報は、発電量算出装置２０４にも送信される。
【００７８】
＜抽出工程（ステップＳ０４）＞
抽出工程（ステップＳ０４）は、抽出装置２０３で実行される処理である。抽出装置２０３は、これから設置しようとする太陽光発電システム２００の設計情報と同一または類似する設計情報の太陽光発電システム１００を、発電量管理サーバ１０４に記憶されている設計情報に基づき抽出し、抽出された太陽光発電システム１００の設計情報と発電量とを発電量管理サーバ１０４から読出す。
【００７９】
設計情報が同一または類似するとは、設計情報の設置位置が近い場合、または、設計情報の太陽電池モジュールの温度特性が一致または類似する場合が含まれる。
【００８０】
抽出装置２０３は、太陽光発電システム２００の設計情報を第２設計情報入力装置２０１より受信する。そして、抽出装置２０３は、受信した設計情報を発電量管理サーバ１０４に送信する。発電量管理サーバ１０４は、受信した設計情報に類似する設計情報と、その設計情報と関連付けられた発電量を抽出して、抽出装置２０３に送信する。
【００８１】
ここで、設計情報が同一または類似する場合の一例として、設計情報の設置位置が近いかどうかを判定する方法について具体的に説明する。設計情報は、設置位置を含み、その設置位置は、太陽光発電システム１００，２００が設置された位置を示すための情報として、住所、郵便番号、緯度、経度などが含まれている。このため、太陽光発電システム１００の設計情報に含まれる設置位置と太陽光発電システム２００の設計情報に含まれる設置位置とを用いて、太陽光発電システム１００と太陽光発電システム２００との間の距離を算出することができる。算出された距離の短い太陽光発電システム１００を、太陽光発電システム２００の設計情報が同一または類似する設計情報を有する太陽光発電システムと判定する。
【００８２】
図３は、設計情報の設置位置が近いかどうかを判定する方法に用いられる郵便番号テーブルの一例を示す図である。図３を参照して、郵便番号テーブルは、太陽光発電システム２００の設置位置の郵便番号（設置予定の郵便番号）と、その郵便番号で特定される地域と日射量の類似性の高い地域または距離の近い地域の郵便番号を関連付ける。郵便番号テーブルは、太陽光発電システム２００の設置位置の郵便番号（設置予定の郵便番号）に複数の郵便番号を関連付けることができ、この場合、複数の郵便番号に優先順位を付ける。これにより、設置位置が近隣である太陽光発電システム１００を抽出する際に、抽出される太陽光発電システム１００の数が所定の数になるまで、順に優先順位を下げて抽出することができる。
【００８３】
なお、１つの太陽光発電システム２００に対して、複数の太陽光発電システム１００を複数抽出してもよい。この場合、抽出される複数の太陽光発電システム１００それぞれの設計情報と発電量を合成し、１つの設計情報と１つの発電量とする。合成とは、たとええば、標準的な設計情報に発電量を変換して、変換された発電量の平均値を求めることである。あるいは、後述する日射量算出工程において、複数の設計情報と複数の発電量から算出した複数の日射量を合成して、１つの日射量とすればよい。
【００８４】
設計情報の同一または類似の判定を、太陽電池モジュールの温度特性が一致または類似するかの判定とした場合は、太陽光発電システム２００の設計情報に含まれる温度特性と同一または類似する温度特性の太陽光発電システム１００が抽出される。
【００８５】
なお、設計情報が同一または類似する判定を、設計情報の設置位置が近いことを条件とする場合、または、設計情報の太陽電池モジュールの温度特性が一致または類似することを条件とする場合それぞれを単独の条件として判定するようにしてもよいが、２つの条件を組合わせて判定するようにしてもよい。２つの条件を組合わせた場合には、太陽光発電システム２００と設置位置が近く、かつ、温度特性が一致または類似する太陽光発電システム１００が抽出されることになる。
【００８６】
＜日射量算出工程（ステップＳ０５）＞
日射量算出工程（ステップＳ０５）は、日射量算出装置２０５で実行される処理である。日射量算出装置２０５は、抽出装置２０３で抽出された既設の太陽光発電システム１００の設計情報と発電量とを受信する。そして、受信した既設の太陽光発電システム１００の設計情報と発電量とに基づいて、日射量を算出する。日射量算出装置２０５が算出する日射量は、あらかじめ定められた方位および設置角度（以下「標準設置方位角度」という）における日射量である。標準設置方位角度としては、たとえば南面の設置角度３０度とすることができる。
【００８７】
日射量算出装置２０５は、抽出装置２０３から受信した抽出された設計情報と発電量に基づき、設計情報太陽電池モジュールが設置された方位および設置角度が標準設置方位角度でない場合、または、太陽電池モジュールが複数あって、複数の太陽電池モジュールの設置方位および設置角度が異なる場合は、受信した発電量を標準設置方位角度に設置した場合における発電量に補正する。
【００８８】
ここでは、発電量を補正する方法として、方位角度別日射量テーブルの中の該当する条件の係数を用いて算出する方法を説明する。図４は、方位角度別日射量テーブルの一例を示す図である。図４では、札幌における南面、設置角度３０度を標準設置方位角度とする方位角度別日射量テーブルの例を示す。図３に示される各係数は、標準設置方位角度における日射量を「１」とし、各方位、各設置角度における日射量と標準設置方位角度における日射量との比で表される。
【００８９】
ここで、太陽光発電システム１００が、設置位置が札幌に近く、かつ、設置角度が２０度で設置方位が南面で能力３．０ＫＷの太陽電池モジュールと、設置角度が２０度で設置方位が南東面で能力２．０ＫＷの太陽電池モジュールとが配置されており、１月の発電量が４００ＫＷｈ／月であった場合を例にする。
【００９０】
南面に２０度で設置された能力３．０ＫＷの太陽電池モジュールの１月の発電量をｘとし、南東面に２０度で設置された能力２．０ＫＷの太陽電池モジュールの１月の発電量をｙとすると、次の連立方程式が成立する。
【００９１】
ｘ＋ｙ＝４００　…　（１）
ｘ／（０．９×３）＝ｙ／（０．７５×２）　…　（２）
この連立方程式（１）（２）を解いて、南面に２０度で設置された能力３．０ＫＷの太陽電池モジュールの１月の発電量ｘと、南東面に２０度で設置された能力２．０ＫＷの太陽電池モジュールの１月の発電量をｙを求める。
【００９２】
ｘ＝４００×０．９×３／（０．９×３＋０．７５×２）＝２５７ＫＷｈ／月ｙ＝４００−ｘ＝１４３ＫＷｈ／月
そして、求めた発電量ｘ，ｙを標準方位角度における発電量に換算する。
【００９３】
2004047875.tif 000003
このようにして、１月の標準方位角度における発電量が算出される。そして、求められた１月の標準方位角度における発電量から、図３の方位角度別日射量テーブルを用いて、各月の標準方位角度における発電量を算出する。ただし、１２カ月分の測定データがない場合、方位角度別日射量テーブルを用いて１カ月分の測定値から換算してもよい。数カ月分の測定値がある場合、各月の測定値の平均値を用いて換算してもよい。
【００９４】
次式（３）を用いて、月間日射量が求められる。
標準設置方位角度における月間日射量（ＫＷｈ／ｍ２・月）＝（標準設置方位角度換算の月間発電量（ＫＷｈ／月））÷｛発電能力（ＫＷ）÷（標準設置方位角度における日射強度（ＫＷ／ｍ２））｝　…　（３）
なお、標準設置方位角度における日射強度は予め定められた定数であり、単位を合わせるための定数である。本実施の形態では「１」としている。このようにして求めた日射量は、太陽光発電システム１００の発電量より算出されているので、太陽光発電システム１００が設置されている地域の特有の条件、たとえば地形、気温、雨風などによる誤差や損失を自ずと含んだ値となる。
【００９５】
＜発電量算出工程（ステップＳ０６）＞
発電量算出工程（ステップＳ０６）は、発電量算出装置２０４で実行される処理である。発電量算出装置２０４は、日射量算出装置２０５で算出された日射量と第２設計情報入力装置２０１に入力された設計情報とに基づいて、これから設置しようとする太陽光発電システム２００の発電量を算出する。
【００９６】
発電量算出装置２０４は、日射量算出装置２０５から日射量を受信し、第２設計情報入力装置から設計情報を受信する。日射量算出装置２０５で算出された日射量は、標準設置方位角度における日射量である。発電量算出装置２０４は、日射量算出装置２０５より受信した日射量を、第２設計情報入力装置より受信した設計情報の太陽電池モジュールの設置方位および設置角度における日射量に換算する。
【００９７】
換算には、図４に示した方位角度別日射量テーブルが用いられる。具体的には、第２設計情報入力装置２０１より受信した設計情報に含まれる太陽電池モジュールの設置方位および設置角度に該当する係数を、方位角度別日射量テーブルから選択し、選択した係数を日射量算出装置２０５より受信した日射量に乗じることにより日射量が換算される。
【００９８】
たとえば、設置方位が南面で設置角度が３０度の標準設置方位角度における月間日射量が１２０ＫＷｈ／ｍ２・月の場合であって、設置方位が南面で設置角度が２０度で太陽光発電システム２００が設置される場合の月間日射量（ＫＷｈ／ｍ２・月）は、１２０（ＫＷｈ／ｍ２・月）×０．９０＝１０８（ＫＷｈ／ｍ２・月）となる。また、設置方位が南南東面で設置角度が２０度で太陽光発電システム２００が設置される場合の月間日射量（ＫＷｈ／ｍ２・月）は、１２０（ＫＷｈ／ｍ２・月）×０．８９＝１０７（ＫＷｈ／ｍ２・月）となる。
【００９９】
次に、太陽光発電システム２００の設計情報の発電能力を標準設置方位角度における日射強度で除し、各設置面の日射量を乗じて、発電量を算出する。たとえば、第２設計情報入力装置より受信した設計情報に含まれる太陽電池モジュールのシステム発電量が、南面の太陽電池モジュールで２ＫＷ、南南東面の太陽電池モジュールで１ＫＷの場合、南面の月間予測発電量（ＫＷｈ／月）は、２／１×１０８＝２１６（ＫＷｈ／月）となり、南南東面の月間予測発電量（ＫＷｈ／月）は、１／１×１０７＝１０７（ＫＷｈ／月）となり、太陽光発電システム２００全体で得られる発電量は、２１６＋１０７＝３２３（ＫＷｈ／月）となる。
【０１００】
図４に示した方位角度別日射量テーブルを用いれば、各月における発電量を算出することができる。
【０１０１】
発電量算出装置２０４は、このようにして算出した月別の発電量を、予測発電量表示装置２０６へ送信する。
【０１０２】
＜予測発電量表示工程（ステップＳ０７）＞
予測発電量表示工程（ステップＳ０７）は、予測発電量表示装置２０６で実行される処理である。予測発電量表示装置２０６は、発電量算出装置２０４で算出された発電量を受信し、表示する。
【０１０３】
第１の実施の形態における発電量予測システム１は、既に設置された太陽光発電システム１００それ自体を日射量の計測器として用いるので、新たに日射量を測定するための計測器を設置する必要がない。このため、計測器を設置する費用を別途必要とすることは無い。
【０１０４】
また、太陽光発電システムの設置台数が増えるにしたがって、測定地点が増加するので、より多くの地点で発電量が計測される。このため、太陽光発電システムが設置される台数が増えるほど、予測するためのデータが増えるので、予測精度向上させることができる。
【０１０５】
また、太陽地発電システムの発電量に基づいて算出した日射量は、地形、気温、雨風や、砂、埃などの設置する場所に依存する条件の影響を最初から含んでいる。このため、既存の太陽地発電システムの発電量に基づいて算出した日射量を用いることにより、地形、気温、雨風や、砂、埃などの設置する場所に依存する条件の影響を計算することなく、そのような条件の影響を考慮した発電量を予測することができる。
【０１０６】
［第２の実施の形態］
次に、本発明の第２の実施の形態における発電量予測システム１Ａについて説明する。第１の実施の形態における発電量予測システム１における発電量管理サーバ１０４が、太陽光発電システム１００の設計情報と発電量とを開連付けて記憶したのに対して、第２の実施の形態における発電量予測システム１Ａは、太陽光発電システム１００の設計情報と発電量とから日射量をあらかじめ求めて、日射量管理サーバ１０４Ａに記憶する点で異なる。
【０１０７】
以下、本発明の第２の実施の形態における発電量予測システム１Ａについて詳細に説明するが、第１の実施の形態における発電量予測システム１の説明と重複する点は説明を省略する。
【０１０８】
図５は、本発明の第２の実施の形態における発電量予測システムの概略的な構成を示す図である。図５を参照して、第２の実施の形態における発電量予測システム１Ａは、第１設計情報入力装置１０３と、第２設計情報入力装置２０１と、発電量送信装置１０１と、日射量算出装置２０５Ａと、日射量管理サーバ１０４Ａと、抽出装置２０３Ａと、発電量算出装置２０４と、予測発電量表示装置２０６とを含む。
【０１０９】
発電量予測システム１Ａを構成する各装置は、コンピュータなどであり、それぞれがインターネットなどのネットワークに接続されており、相互に情報を送受信することが可能となっている。各装置を構成するコンピュータ自体の構成は一般的なものである。また、コンピュータをネットワークに接続しての情報の送受信は周知である。したがって、ここではその詳細な説明は繰返さない。
【０１１０】
なお、第１設計情報入力装置１０３と、第２設計情報入力装置２０１を一体にして１つの入力装置としてもよい。
【０１１１】
＜日射量算出装置２０５Ａ＞
日射量算出装置２０５Ａは、発電量送信装置１０１より太陽光発電システム１００の発電量を受信し、第１設計情報入力装置１０３より設計情報を受信する。そして、受信した発電量と設計情報とから太陽光発電システム１００の日射量を算出する。算出した日射量は、設計情報とともに日射量管理サーバ１０４Ａに送信される。この際に、太陽光発電システム１００を特定するための特定情報も併せて送信される。
【０１１２】
＜日射量管理サーバ１０４Ａ＞
日射量算出装置２０５Ａより、太陽光発電システム１００の特定情報と、設計情報と、日射量とを受信する。日射量管理サーバ１０４Ａは、受信した太陽光発電システム１００の特定情報と、設計情報と、日射量とを開連付けて記憶する。設計情報には、太陽光発電システムが備える太陽電池モジュールの温度特性が含まれる。
【０１１３】
日射量管理サーバ１０４Ａは、日射量と設計情報との組からなるデータを、設計情報の設置位置または温度特性ごとに分類して記憶してもよい。
【０１１４】
＜抽出装置２０３Ａ＞
抽出装置２０３Ａは、これから設置しようとする太陽光発電システム２００の設計情報と同一または類似する設計情報の太陽光発電システム１００を、日射量管理サーバ１０４Ａに記憶されている設計情報に基づき抽出し、抽出された太陽光発電システム１００の設計情報と日射量とを日射量管理サーバ１０４Ａから読出す。
【０１１５】
設計情報が同一または類似するとは、設計情報の設置位置が近い場合、または、設計情報の太陽電池モジュールの温度特性が一致または類似する場合が含まれる。
【０１１６】
抽出装置２０３Ａは、太陽光発電システム２００の設計情報を第２設計情報入力装置２０１より受信する。そして、抽出装置２０３Ａは、受信した設計情報を日射量管理サーバ１０４Ａに送信する。日射量管理サーバ１０４Ａは、受信した設計情報に類似する設計情報と、その設計情報と関連付けられた発電量を抽出して、抽出装置２０３Ａに送信する。
【０１１７】
なお、これから設置しようとする１つの太陽光発電システム２００に対して、複数の太陽光発電システム１００を抽出してもよい。この場合は、抽出された複数の太陽光発電システム１００それぞれの日射量を平均した日射量を用いるようにすればよい。
【０１１８】
また、設計情報に太陽電池モジュールの温度特性を含む場合には、抽出条件を設置位置とするのに代えて、温度特性が類似することを条件に抽出する。すなわち、太陽光発電システム２００の太陽電池モジュールの温度特性と類似する温度特性の太陽電池モジュールを有する太陽光発電システム２００が抽出される。また、抽出条件を設置位置とするのに加えて、温度特性が類似することを条件に抽出する。すなわち、太陽光発電システム１００と設置位置が近いことを条件に抽出された太陽光発電システム２００のうちから、太陽光発電システム２００の太陽電池モジュールの温度特性と類似する温度特性の太陽電池モジュールを有する太陽光発電システム２００が抽出される。
【０１１９】
次に第２の実施の形態における発電量予測システムで実行される処理の流れを説明する。図６は、第２の実施の形態における発電量予測システムで実行される処理の流れを示すフローチャートである。図６を参照して、第２の実施の形態における発電量予測システム１Ａで実行される処理は、第１設計情報入力工程（ステップＳ１１）、発電量送信工程（ステップＳ１２）、第２設計情報入力工程（ステップＳ１３）、日射量算出工程（ステップＳ１４）、抽出工程（ステップＳ１５）、発電量算出工程（ステップＳ１６）、予測発電量表示工程（ステップＳ１７）がある。
【０１２０】
図６では、第２の実施の形態における発電量予測システム１Ａの各工程の実施順が示されるが、実施順はこれに限定されるわけではなく、日射量算出工程（ステップＳ１４）は、第１設計情報入力工程（ステップＳ１１）と発電量送信工程（ステップＳ１２）との後に実施され、抽出工程（ステップＳ１５）が、日射量算出工程（ステップＳ１４）と第２設計情報入力工程（ステップＳ１３）との後に実施され、発電量算出工程（ステップＳ１６）が、抽出工程（ステップＳ１５）の後に実施され、予測発電量表示工程（ステップＳ１７）が発電量算出工程の後に実施されればよい。
【０１２１】
＜第１設計情報入力工程（ステップＳ１１）＞
第１設計情報入力工程（ステップＳ１１）は、第１設計情報入力装置１０３で実行される処理である。第１設計情報入力装置１０３に、太陽光発電システム１００の設計情報が入力され、第１設計情報入力装置１０３が備えるメモリに記憶される。このとき、太陽光発電システム１００を特定するための特定情報、たとえば、顧客ＩＤなどと入力された設計情報とが関連付けられて記憶される。
【０１２２】
第１設計情報入力装置１０３に入力された設計情報は、特定情報とともに日射量算出装置２０５Ａに送信される。
【０１２３】
＜発電量送信工程（ステップＳ１２）＞
発電量送信工程（ステップＳ１２）は、発電量送信装置１０１で実行される処理であり、太陽光発電システム１００の発電量と発電量計測日とを検出し、太陽光発電システム１００を特定する特定情報と関連付けて、日射量算出装置２０５Ａに送信する。
【０１２４】
発電量送信装置１０１は、検出された発電量と日付を、電線、もしくはネットワークを経由して日射量算出装置２０５Ａへ送信する。
【０１２５】
なお、発電量送信装置１０１が発電量を計測する日付と送信する日付が同じである場合は、日射量算出装置２０５Ａが発電量送信装置１０１から発電量を受信した日付を計測した日付としてもよい。この場合、発電量送信装置１０１から日射量算出装置２０５Ａに日付を送信する必要はない。
【０１２６】
＜第２設計情報入力工程（ステップＳ１３）＞
第２設計情報入力工程（ステップＳ１３）は、第２設計情報入力装置２０１で実行される処理である。第２設計情報入力装置２０１は、これから設置しようとする、または、発電量を予測しようとする太陽光発電システム２００の設計情報の入力を受付ける。そして、入力された設計情報を抽出装置２０３Ａに送信する。
【０１２７】
また、第２設計情報入力装置２０１に入力された設計情報は、発電量算出装置２０４にも送信される。
【０１２８】
＜日射量算出工程（ステップＳ１４）＞
日射量算出工程（ステップＳ１４）は、日射量算出装置２０５Ａで実行される処理である。日射量算出装置２０５Ａは、発電量送信装置１０１より受信する太陽光発電システム１００の発電量を受信し、第１設計情報入力装置１０３から太陽光発電システム１００の設計情報を受信する。そして、受信した既設の太陽光発電システム１００の設計情報と発電量とに基づいて、日射量を算出する。日射量算出装置２０５Ａが算出する日射量は、標準設置方位角度における日射量である。
【０１２９】
日射量算出装置２０５Ａは、設計情報太陽電池モジュールが設置された方位および設置角度が標準設置方位角度でない場合、または、太陽電池モジュールが複数あって、複数の太陽電池モジュールの設置方位および設置角度が異なる場合は、標準設置方位角度に設置した場合における日射量を算出する。発電量を補正する方法は、方位角度別日射量テーブルの中の該当する条件の係数を用いて算出する方法が用いられる。
【０１３０】
補正された発電量から上述の（３）式を用いて日射量が算出される。算出された日射量は、日射量管理サーバ１０４Ａに、太陽光発電システム１００を特定するための特定情報と設計情報とともに送信される。
【０１３１】
日射量管理サーバ１０４Ａは、太陽光発電システム１００の特定情報、設計情報および日射量とを受信し、記憶する。このとき、設計情報が太陽電池モジュールの温度特性を含んでいる場合、日射量管理サーバ１０４Ａは、太陽光発電システム１００の設計情報を温度特性毎に分類して記憶するようにしてもよい。これにより、後述する抽出工程（ステップＳ１５）における処理速度を早くすることができる。
【０１３２】
＜抽出工程（ステップＳ１５）＞
抽出工程（ステップＳ１５）は、抽出装置２０３Ａで実行される処理である。抽出装置２０３Ａは、これから設置しようとする太陽光発電システム２００の設計情報と同一または類似する設計情報の太陽光発電システム１００を、日射量管理サーバ１０４Ａに記憶されている設計情報に基づき抽出し、抽出された太陽光発電システム１００の設計情報と日射量とを日射量管理サーバ１０４Ａから読出す。
【０１３３】
抽出装置２０３Ａは、太陽光発電システム２００の設計情報を第２設計情報入力装置２０１より受信する。そして、抽出装置２０３Ａは、受信した設計情報を日射量管理サーバ１０４Ａに送信する。日射量管理サーバ１０４Ａは、受信した設計情報に類似する設計情報と、その設計情報と関連付けられた日射量を抽出して、発電量算出装置２０４に送信する。
【０１３４】
＜発電量算出工程（ステップＳ１６）＞
発電量算出工程（ステップＳ１６）は、発電量算出装置２０４で実行される処理である。発電量算出装置２０４は、抽出装置２０３Ａで抽出された日射量と第２設計情報入力装置２０１に入力された設計情報とに基づいて、これから設置しようとする太陽光発電システム２００の発電量を算出する。
【０１３５】
発電量算出装置２０４は、抽出装置２０３Ａで抽出された日射量と、第２設計情報入力装置に入力された設計情報とを受信する。抽出装置２０３Ａで抽出された日射量は、標準設置方位角度における日射量である。発電量算出装置２０４は、抽出装置２０３Ａより受信した日射量を、第２設計情報入力装置２０１より受信した設計情報の太陽電池モジュールの設置方位および設置角度における日射量に換算する。
【０１３６】
＜予測発電量表示工程（ステップＳ１７）＞
予測発電量表示工程（ステップＳ１７）は、予測発電量表示装置２０６で実行される処理である。予測発電量表示装置２０６は、発電量算出装置２０４で算出された発電量を受信し、表示する。
【０１３７】
以上説明したように本実施の形態における発電量予測システム１，１Ａは、既設の太陽光発電システム１００の発電量に基づいて発電量を予測するので、日射量データが計測される代表的な８０１地点から遠い場所、山間部など地形から大きな影響を受ける場所においても精度の高い太陽光発電量の予測を実施することができる。
【０１３８】
また、既設の太陽光発電システム１００の発電量には、地形、気温、雨風や、砂、埃などの設置する場所に依存する条件の影響を受けているので、地形、気温、雨風や、砂、埃などの設置する場所に依存する条件を計算することなく、それらの条件を加味した精度の高い太陽光発電量を予測することができる。
【０１３９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の第１の実施の形態における発電量予測システムの概略的な構成を示す図である。
【図２】第１の実施の形態における発電量予測システムで実行される処理の流れを示すフローチャートである。
【図３】設計情報の設置位置が近いかどうかを判定する方法に用いられる郵便番号テーブルの一例を示す図である。
【図４】方位角度別日射量テーブルの一例を示す図である。
【図５】本発明の第２の実施の形態における発電量予測システムの概略的な構成を示す図である。
【図６】第２の実施の形態における発電量予測システムで実行される処理の流れを示すフローチャートである。
【符号の説明】
１，１Ａ　発電量予測システム、１００　太陽光発電システム、１０１　発電量送信装置、１０３　第１設計情報入力装置、１０４Ａ　日射量管理サーバ、１０４　発電量管理サーバ、２００　太陽光発電システム、２０１　第２設計情報入力装置、２０３，２０３Ａ　抽出装置、２０４　発電量算出装置、２０５，２０５Ａ　日射量算出装置、２０６　予測発電量表示装置、１００，２００　太陽光発電システム。
【図１】
2004047875.tif 000004
【図２】
2004047875.tif 000005
【図３】
2004047875.tif 000006
【図４】
2004047875.tif 000007
【図５】
2004047875.tif 000008
【図６】
2004047875.tif 000009